(57)【要約】【課題】  使用者の風袋引きの誤操作による課題を未然に防ぐことができるようにした重量計測装置を提供する。【解決手段】  制御部７は、電源等操作ボタン４が押されることにより風袋引きの作動を開始させ、表示部３に容器の重量を差し引いて計測したい物の重量を表示させた後、さらに容器に計測したいものを数回に分けて載せている途中において、使用者が誤って電源等操作ボタン４を押してしまっても、表示部３に対して今まで計測した重量の値を変化させない表示をさせる処理を行う。【選択図】図３
2017215280.tif 000002
【特許請求の範囲】
【請求項１】
計測物を載置する載置部と、
前記載置部に載置された計測物の重量を計測する計測部と、
重量の計測結果を表示する表示部とを備え、
操作部の操作により作動して、前記計測物の容器の重量を差し引いて前記計測物の重量の計測結果を前記表示部に表示させる風袋引き処理と、
前記風袋引き処理が行われており、かつ載置部に風袋が載っているときに、前記操作部が操作されて前記風袋引き手段が作動されても、従前の風袋引き後の重量の値を変化させないようにする制御とを行う制御部を備えたこと
を特徴とする重量計測装置。
【発明の詳細な説明】
【技術分野】
【０００１】
本発明は、容器などの重量を差し引いて、計測したい物の重量だけを表示する、いわゆる風袋引きが行える重量計測装置に関する。
【背景技術】
【０００２】
容器の中に入っている物の重量だけを表示するなどの目的のために、容器などの重量を差し引いて、計測したい物の重量だけを表示する重量計測装置が存在している（特許文献１、特許文献２）。
【先行技術文献】
【特許文献】
【０００３】
【特許文献１】特公平６−２９７５５号公報
【特許文献２】特開２０１６−０１７９０６号公報
【発明の概要】
【発明が解決しようとする課題】
【０００４】
従来の重量計測装置において、載置部に容器のみを載せて風袋引き操作をし、容器の重量を差し引いて重量を表示部に表示させた後に、重量計測装置に載せた容器に計測したい物を数回に分けて載せている途中で、誤って再度風袋引き操作がなされると、その誤って操作された時点で載置部に載っている容器の中の食品の重量まで差し引いて重量を表示してしまい、計測したい物の重量が正しく表示されないという課題があった。
【０００５】
本発明は、上述のような使用者の風袋引きの誤操作による課題を未然に防ぐことができるようにした重量計測装置を提供することを目的とする。
【課題を解決するための手段】
【０００６】
本発明に係る重量計測装置は、計測物を載置する載置部と、前記載置部に載置された計測物の重量を計測する計測部と、重量の計測結果を表示する表示部とを備え、操作部の操作により作動して、前記計測物の容器の重量を差し引いて前記計測物の重量の計測結果を前記表示部に表示させる風袋引き処理と、前記風袋引き処理が行われており、かつ載置部に風袋が載っているときに、前記操作部が操作されて前記風袋引き手段が作動されても、従前の風袋引き後の重量の値を変化させないようにする制御とを行う制御部を備えたことを特徴とする。
【発明の効果】
【０００７】
本発明によれば、まず容器のみを載置部に載せて風袋引き操作をして容器の重量を差し引いて計測したい物の重量を表示させた後に、さらに容器に計測したい物を数回に分けて載せている途中において、使用者が誤って風袋引き操作をしてしまっても、今まで計測した重量の値は変化しない。
【０００８】
従って、容器に計測したい物を数回に分けて載せている途中における使用者による意図しない風袋引きの誤作動を防止することができる。
【図面の簡単な説明】
【０００９】
【図１】本発明の実施形態の平面図
【図２】本発明の実施形態の底面図
【図３】本発明の実施形態に設けられている計測・制御系のブロック図
【図４】本発明の実施形態の使用時に実行される処理手順の前半を示すフローチャート
【図５】本発明の実施形態の使用時に実行される処理手順の後半を示すフローチャート
【図６】本発明の実施形態のはかりモードでの使用状態の一連の流れと表示画面の形態を示す図
【図７】本発明の実施形態のごはんモードでの使用状態の一連の流れと表示画面の形態を示す図
【図８】本発明の実施形態のごはんモードでの他の使用状態の一連の流れと表示画面の形態を示す図
【発明を実施するための形態】
【００１０】
以下、本発明の好適な実施形態を図面に基づいて説明する。
【００１１】
図１において、１は計測物が載置される載置部であり、この載置部１は本体ケース２の上部に設けられている。３は計測結果を表示するための表示部であり、４は電源のオンオフの操作と風袋引きの操作をする操作部としての電源等操作ボタンである。
【００１２】
図２において、５は、本体ケース２の裏面側に設けられ、はかりモードとごはんモードを切り替えるための切り替えスイッチである。
【００１３】
図３は、計測・制御系のブロック図であり、６は、前記載置部１に載置された計測物の重量を計測する計測部であって、計測部６としては、従来から用いられているロードセル構造の物が使用される。
【００１４】
７は、制御部（マイクロチップ）であり、計測部６からの計測データを受けての重量演算と、風袋引き処理と、表示部３に対して表示データを送る表示処理と、ごはんモード時に、計測されたごはん（白米）の重量に基づいて熱量及び炭水化物量に変換演算する重量／熱量及び炭水化物量変換演算とを行う機能を有し、切り替えスイッチ５によるモードの切り替えなどを統括的に制御する。
【００１５】
また、制御部７は、ごはん（白米）の重量と熱量及び炭水化物量との関係式を演算式として格納したメモリー機能を備えている。
【００１６】
前記表示部３は、重量の計測値（ｇ）と制御部７における重量／熱量及び炭水化物量変換演算による熱量（ｋｃａｌ）及び炭水化物量（ｇ）の演算値を表示する液晶ディスプレイからなる。
【００１７】
以下、はかりモードとごはんモードの作用について説明する。
【００１８】
まず、図４と図５の処理手順全体を示すフローチャートと、図６の使用状態の一連の流れの図によって、はかりモードの作用について説明する。はかりモードでは対象物の重量の計測のみを行う。また、図４中の（Ａ）（Ｂ）（Ｃ）（Ｄ）は、それぞれ図５中の（Ａ）（Ｂ）（Ｃ）（Ｄ）につながっている。
【００１９】
図６（ａ）に示すように、切り替えボタン５を押すと、制御部７によって、はかりモードとごはんモードとが切り替わる（Ｓ１）。そして、図６（ｂ）に示すように、電源等操作ボタン４を押すと電源がオンになり（Ｓ２）、はかりモードでの計量が行われることになる（Ｓ３のＹＥＳ、Ｓ４）。載置部１に何も載っていない状態では、表示部３にはゼロ（０）の表示がされる。
【００２０】
図６（ｃ）に示すように、風袋引きをして重量を計測する場合には（Ｓ５のＹＥＳ）、まず載置部１に容器Ａのみを載せる（Ｓ６）。すると、容器Ａの重量が制御部７において重量演算によってデータに変換され、そのデータが表示処理されて、表示部３に表示(本例では９１．５g)される。次に、図６（ｄ）に示すように、電源等操作ボタン４を押すと（Ｓ７）、制御部７において風袋引き処理が行われ、容器Ａの重量を差し引いて重量の計測値が表示(この場合では、内容物がないので０g)される（Ｓ８）。
【００２１】
図６（ｅ）に示すように、例えばスプーンＳＰにより砂糖などの計測物ＳＧの一部を容器Ａに入れると（Ｓ９）、計測物ＳＧの一部の重量が制御部７において重量演算によってデータに変換され、そのデータが表示処理され、表示部３に表示(本例では９２．１g)される。
【００２２】
このとき使用者により電源等操作ボタン４が不用意に押されても、制御部７によって風袋引きで差し引く重量は変わらないように制御がなされ、表示部３には、既に風袋引きにて計測されている容器Ａのみを差し引いたままの重量が表示される。（Ｓ１０）。
【００２３】
図６（ｆ）に示すように、容器Ａに計測物ＳＧの残り全てを入れると（Ｓ１１）、制御部７において計測物全ての重量が制御部７において重量演算によってデータに変換され、そのデータが表示処理され、表示部３に表示(本例では１６４．４g)される（Ｓ１２）。ここで電源等操作ボタン４を長押しすると、電源がオフとなる（Ｓ１３）。
【００２４】
なお、図６（ｇ）に示すように、図４のステップＳ５で風袋引きをせずに計測物を直接載置部１に載せると（Ｓ１４）、計測物ＯＲの重量が制御部７において重量演算によってデータに変換され、そのデータが表示処理され、表示部３に表示(本例では８２．７g)される（Ｓ１２）。
【００２５】
次に、図４と図５のフローチャートと、図７の使用状態の一連の流れの図によって、ごはんモードの作用について説明する。ごはんモードでは、まずごはん（白米）の重量を計測し、次に、ごはん（白米）の重量の計測値から熱量と炭水化物量を演算し、最後に前記ごはん（白米）の重量と熱量／炭水化物量が表示部３に表示される。
【００２６】
図７（ａ）に示すように、切り替えボタン５を押すと、制御部７によって、はかりモードとごはんモードとが切り替わる（Ｓ１）。図７（ｂ）に示すように、電源等操作ボタン４を押すと、ごはんモードで電源がオンになり（Ｓ２、Ｓ３のＮＯ、Ｓ１５）、載置部１に何も載っていない状態では、表示部３にはゼロの表示がされる。
【００２７】
まず、載置部１に容器Ｂのみを載せると、図７（ｃ）に示すように、容器Ｂの重量が制御部７おいて重量演算によってデータに変換され、そのデータが表示処理され、表示部３の右下に表示（本例では１１５ｇ）される（Ｓ１６）。
【００２８】
そして、図７（ｄ）に示すように、電源等操作ボタン４を押すと（Ｓ１７）、制御部７において風袋引き処理がなされ、容器Ｂの重量を差し引いた風袋引きによる重量の計測値が表示（本例では容器Ｂの重量を引いているのでゼロ「０」）される（Ｓ１８）。
【００２９】
ここで、図７（ｅ）に示すように、容器Ｂを載置部から外すと（Ｓ１９のＹＥＳ）、演算上では重量は負の表示となり、重量／熱量及び炭水化物量変換演算では熱量と炭水化物量は負の数となるが、制御部７において表示処理されて、負の表示を行わせずに、熱量と炭水化物量の表示は演算結果が不適切であることの表示（本例ではゼロ「０」）がされる（Ｓ２０）。
【００３０】
なお、演算結果が不適切であることの表示の例としては、ゼロ（０）、「不適」という文字、複数の横並びになっているハイフン（−−）などが挙げられる。
【００３１】
上記の状態から、図７（ｆ）に示すように、ごはんＲＣを容器Ｂに入れた後に（Ｓ２１）、容器Ｂを載置部１に載せると（Ｓ２２）、ごはん（白米）ＲＣの重量が制御部７において重量演算によってデータに変換され、そのデータを基に重量／熱量及び炭水化物量変換演算が行われる。
【００３２】
更に、上記重量のデータと上記演算結果のデータが表示処理され、ごはん（白米）ＲＣの重量（図７（ｆ）の右下：１６０ｇ）と熱量（図７（ｆ）の上：２６９ｋｃｌ）、炭水化物量（図７（ｆ）の左下：５９ｇ）が表示部３に表示される（Ｓ２３）。そして、電源等操作ボタン４を長押しすると電源がオフとなる（Ｓ１３）。
【００３３】
図４と図５のフローチャートと、図８の使用状態の一連の流れの図によって、容器Ｂを載置部から外さずにごはん（白米）ＲＣを容器Ｂに入れることを説明する。なお、この動作フローはステップ（Ｓ１９のＮＯ）からであって、ステップ（Ｓ１）〜（Ｓ３）、（Ｓ１５）〜（Ｓ１８）、図７（ａ）〜（ｄ）は既に説明したものと同様であって、説明は省略する。
【００３４】
すなわち、図８（ｅ）に示すように、しゃもじＳＨなどにより、計測するごはん（白米）ＲＣの一部を容器Ｂに入れると（Ｓ２４）、計測するごはん（白米）ＲＣの一部の重量が制御部７において重量演算によってデータに変換され、そのデータが重量／熱量及び炭水化物量変換演算される。
【００３５】
更に、上記重量のデータと上記演算結果のデータが表示処理され、重量（図８（ｅ）の右下：１４０ｇ）と熱量（図８（ｅ）の上：２３５ｋｃｌ）、炭水化物量（図７（ｆ）の左下：５１ｇ）が表示部３に表示され、このときに電源等操作ボタン４を押しても、制御部７によって風袋引きで差し引く重量が変わらないように制御がなされ、風袋引きで差し引く重量は変わらない（Ｓ２５）。
【００３６】
図８（ｆ）に示すように、計量するごはん（白米）ＲＣの残り全てを容器Ｂに入れると（Ｓ２６）、上記のごはん（白米）ＲＣの一部を入れたときと同様の手順で処理がなされ、計量するごはん（白米）ＲＣの重量（１６０ｇ）、熱量（２６９ｋｃｌ）、炭水化物量（５９ｇ）が表示部３に表示される（Ｓ２３）。
【００３７】
なお、前記実施形態における各部材の形状や配置設置などは、実施に際して仕様などに応じて適宜選択して決定する必要がある。
【産業上の利用可能性】
【００３８】
本発明は、対象物の重量を計測して表示し、かつ風袋引きを行う機能を有する重量計測装置に適用して有用である。
【符号の説明】
【００３９】
１      載置部
２      本体ケース
３      表示部
４      電源等操作ボタン
５      切換ボタン
６      計測部
７      制御部
Ａ、Ｂ  容器
ＳＧ    砂糖
ＳＰ    スプーン
ＯＲ    オレンジ
ＲＣ    ごはん（白米）
ＳＨ    しゃもじ
【図１】
2017215280.tif 000003
【図２】
2017215280.tif 000004
【図３】
2017215280.tif 000005
【図４】
2017215280.tif 000006
【図５】
2017215280.tif 000007
【図６】
2017215280.tif 000008
【図７】
2017215280.tif 000009
【図８】
2017215280.tif 000010
【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
計測物を載置する載置部と、
前記載置部に載置された計測物の重量を計測する計測部と、
重量の計測結果を表示する表示部と、
使用者により操作される操作部とを備え、
前記載置部、前記表示部、前記操作部は一つの筐体に設けられ、
前記表示部と前記操作部は近接して配置されている重量計測装置において、
前記操作部の操作により作動して、前記計測物の容器の重量を差し引いて前記計測物の重量の計測結果を前記表示部に表示させる風袋引き処理と、
前記計測物がごはんである場合に前記計測物の重量の計測結果に基づいて特定成分の量を演算し特定成分の量の演算結果を前記表示部に表示させる特定成分量演算処理と、
前記風袋引き処理と前記特定成分量演算処理が共に行われており、かつ前記載置部に前記容器が載っているときに、前記操作部が操作されて前記風袋引き処理が作動されても、従前の風袋引き後の重量、特定成分の量の値を変化させないようにする制御とを行う制御部を備えたこと
を特徴とする重量計測装置。
【手続補正２】
【補正対象書類名】明細書
【補正対象項目名】０００６
【補正方法】変更
【補正の内容】
【０００６】
本発明に係る重量計測装置は、計測物を載置する載置部と、前記載置部に載置された計測物の重量を計測する計測部と、重量の計測結果を表示する表示部と、使用者により操作される操作部とを備え、前記載置部、前記表示部、前記操作部は一つの筐体に設けられ、前記表示部と前記操作部は近接して配置されている重量計測装置において、前記操作部の操作により作動して、前記計測物の容器の重量を差し引いて前記計測物の重量の計測結果を前記表示部に表示させる風袋引き処理と、前記計測物がごはんである場合に前記計測物の重量の計測結果に基づいて特定成分の量を演算し特定成分の量の演算結果を前記表示部に表示させる特定成分量演算処理と、前記風袋引き処理と前記特定成分量演算処理が共に行われており、かつ前記載置部に前記容器が載っているときに、前記操作部が操作されて前記風袋引き処理が作動されても、従前の風袋引き後の重量、特定成分の量の値を変化させないようにする制御とを行う制御部を備えことを特徴とする。